(57)【要約】【課題】外力、静電気等に起因した不良を防止することができ、向上した製品安定性を有して軽量化が可能な表示装置を提供する。【解決手段】本発明による表示装置は、表示パネルを含む表示モジュールと、前記表示モジュールの下部に配置され、前記表示パネルの第１辺に接続される回路基板と、前記回路基板の下部に配置される本体部と、前記第１辺に隣接した前記表示モジュールの第１側面に沿って前記本体部の第１側辺で上部方向に延長する側部と、前記本体部の前記第１側辺と隣接する前記本体部の第２側辺から上部方向に突出形成され、前記表示モジュールの下面と接する第１支持部と、を含むシールドカバーと、を有する。【選択図】  図２
2019200420.tif 000002
【特許請求の範囲】
【請求項１】
表示パネルを含む表示モジュールと、
前記表示モジュールの下部に配置され、前記表示パネルの第１辺に接続される回路基板と、
前記回路基板の下部に配置される本体部と、前記第１辺に隣接した前記表示モジュールの第１側面に沿って前記本体部の第１側辺で上部方向に延長する側部と、前記本体部の前記第１側辺と隣接する前記本体部の第２側辺から上部方向に突出形成され、前記表示モジュールの下面と接する第１支持部と、を含むシールドカバーと、を有することを特徴とする表示装置。
【請求項２】
一端が前記表示パネルの前記第１辺に隣接する前記表示パネルの上面に直接接続され、下部方向に曲がり、他端が前記回路基板と直接接続される接続フィルムをさらに有し、
前記シールドカバーは、前記接続フィルムの少なくとも一部と前記回路基板とをカバーすることを特徴とする請求項１に記載の表示装置。
【請求項３】
前記表示モジュールは、光を放射するバックライトユニットと、
中央に開口を有して前記バックライトユニットの上部に配置されるフレームと、をさらに含み、
前記表示パネルは、前記フレームの上部に配置され、
前記フレームの側面には前記フレームの上面から前記フレームの下面まで延長する溝が形成され、
前記接続フィルムは、前記フレームの溝に沿って配置されることを特徴とする請求項２に記載の表示装置。
【請求項４】
前記表示モジュールは、光を放射するバックライトユニットと、
中央に開口を有して前記バックライトユニットの上部に配置されるフレームと、をさらに含み、
前記フレームの第１辺から前記開口までの第１幅は、前記フレームの第２辺から前記開口までの第２幅より大きく、
前記表示パネルは、前記フレーム上に配置され、前記表示パネルの縁に沿って前記表示パネルの下面と前記フレームの上面との間に介在する第１支持部材を介して前記フレームと結合することを特徴とする請求項１に記載の表示装置。
【請求項５】
前記バックライトユニットは、導光板と、
前記導光板の第１側面と前記表示モジュールの前記第１側面との間に配置される光源と、
前記導光板の下面に配置される反射シートと、
前記導光板の上部に配置され、前記導光板の前記第１側面から離隔する光学シートと、を含み、
前記フレームは、前記光学シートによって露出した前記導光板の上面と前記フレームとの間に配置される第２支持部材を含むことを特徴とする請求項４に記載の表示装置。
【請求項６】
前記フレームは、上面の縁に沿って上部方向に突出した突出部を含み、
前記表示パネルは、表示パネルの上部の側面と前記突出部との間に配置される接着部材を介して前記フレームの突出部に結合することを特徴とする請求項５に記載の表示装置。
【請求項７】
前記表示モジュールは、ハウジングをさらに含み、
前記ハウジングは、前記バックライトユニットの下部に配置される底部と、
前記底部の縁から上部方向に延長して前記バックライトユニットの側面と接する側壁と、を含み、
前記側壁の上端部には下部方向に凹んだ溝が形成され、
前記光学シートは、その縁で水平方向に突出した突出部を含み、
前記光学シートの突出部は、前記ハウジングの前記側壁の前記溝に固定されることを特徴とする請求項５に記載の表示装置。
【請求項８】
前記ハウジングは、下面で下部方向に突出形成され、中央に第１結合穴を含む第１結合部を含み、
前記回路基板は、前記ハウジングの前記第１結合穴に対応する穴を含み、
前記シールドカバーは、前記ハウジングの前記結合部に対応して前記本体部で上部方向に突出形成され、中央に第２結合穴を含む第２結合部を含み、
前記シールドカバーの前記第２結合穴、前記回路基板の前記穴、及び前記ハウジングの前記第１結合穴を貫く結合部材によって、前記ハウジング、前記回路基板、及び前記シールドカバーが相互固定されることを特徴とする請求項７に記載の表示装置。
【請求項９】
前記回路基板の前記穴は、前記ハウジングの前記第１結合穴より大きく、前記シールドカバーの第２結合穴より大きく、
前記シールドカバーの前記第２結合部は、前記回路基板の前記穴を介して前記ハウジングの前記第１結合部と部分的に接することを特徴とする請求項８に記載の表示装置。
【請求項１０】
前記シールドカバーは、前記側部の上端部から水平方向に延長して前記表示モジュールの上面と接する係止固定部をさらに含み、
前記水平方向は、前記上部方向に対し垂直であることを特徴とする請求項１に記載の表示装置。
【請求項１１】
前記第１支持部は、前記本体部の第２側辺の端部が折り曲げられて形成されることを特徴とする請求項１に記載の表示装置。
【請求項１２】
前記シールドカバーは、前記本体部の中央で上部方向に突出形成され前記回路基板の下面と接する結合部をさらに含むことを特徴とする請求項１に記載の表示装置。
【請求項１３】
前記第１支持部は、前記結合部より前記本体部の前記第１側辺に隣接することを特徴とする請求項１２に記載の表示装置。
【請求項１４】
前記シールドカバーの本体部は、前記表示パネルと平行する底部と、
前記底部の第１側辺から斜線方向に延長して前記側部と接続される傾斜部と、を含み、
前記斜線方向は、前記底部と鈍角をなし、
前記結合部は、前記底部から突出形成され、
前記第１支持部は、前記傾斜部から突出形成されることを特徴とする請求項１２に記載の表示装置。
【請求項１５】
前記シールドカバーは、前記本体部の前記第２側辺から上部方向に突出形成される第２支持部をさらに含み、
前記第２支持部は、前記底部と接続されることを特徴とする請求項１４に記載の表示装置。
【請求項１６】
前記シールドカバーの本体部は、前記表示パネルと平行する底部と、
前記底部の第１側辺から斜線方向に延長して前記側部と接続される傾斜部と、を含み、
前記斜線方向は、前記底部と鈍角をなし、
前記結合部は、前記底部から突出形成され、
前記第１支持部は、前記底部から突出形成され前記傾斜部と接することを特徴とする請求項１２に記載の表示装置。
【請求項１７】
前記シールドカバーの前記本体部の第３側辺の少なくとも一部は、上部方向に折り曲げられて前記表示モジュールの下面と接し、
前記第３側辺は、前記第１側辺に対向することを特徴とする請求項１２に記載の表示装置。
【請求項１８】
前記シールドカバーには前記側部に隣接して前記表示モジュールの下面を部分的に露出させるユーザーホールが形成され、
前記シールドカバーは、前記ユーザーホールの第１縁で水平方向に突出形成され、前記表示モジュールの下面と接する第３支持部をさらに含み、
前記水平方向は、前記上部方向に対し垂直であり、
前記ユーザーホールの前記第１縁は、前記側部に隣接し前記側部に対し平行であることを特徴とする請求項１に記載の表示装置。
【請求項１９】
前記シールドカバーは、前記ユーザーホールの前記第１縁と隣接した第２縁で上部方向に突出形成され前記表示モジュールの下面と接する第４支持部をさらに含むことを特徴とする請求項１８に記載の表示装置。
【請求項２０】
前記シールドカバーには前記側部に隣接して前記表示モジュールの下面を部分的に露出させるユーザーホールが形成され、
前記シールドカバーは、前記ユーザーホールの第２縁で上部方向に突出形成され、前記表示モジュールの下面と接する第４支持部をさらに含み、
前記第２縁は、前記側部に隣接し前記側部に対し垂直であることを特徴とする請求項１に記載の表示装置。
【請求項２１】
表示パネルを含む表示モジュールと、
前記表示モジュールの下部に配置され、前記表示パネルの第１辺に接続される回路基板と、
前記表示モジュールの第１側面の少なくとも一部と前記回路基板をカバーするシールドカバーと、を有し、
前記シールドカバーは、前記回路基板の下部に配置される本体部と、
前記第１辺に隣接した前記表示モジュールの第１側面に沿って前記本体部の第１側辺で上部方向に延長する側部と、
前記側部に隣接して前記表示モジュールの下面を部分的に露出させるユーザーホールと、
前記ユーザーホールの第１縁で水平方向に突出形成され前記表示モジュールの下面と接する第１支持部と、を含み、
前記水平方向は、前記上部方向に対し垂直であり、
前記ユーザーホールの前記第１縁は、前記側部に隣接し、前記側部に対し平行であることを特徴とする表示装置。
【請求項２２】
一端が前記表示パネルの前記第１辺に隣接する前記表示パネルの下面に直接接続され、下部方向に曲がり、他端が前記回路基板と直接接続される接続フィルムをさらに有し、
前記シールドカバーは、前記接続フィルムの少なくとも一部と前記回路基板とをカバーすることを特徴とする請求項２１に記載の表示装置。
【請求項２３】
前記表示モジュールは、光を放射するバックライトユニットと、
中央に開口を有して前記バックライトユニットの上部に配置されるフレームと、をさらに含み、
前記表示パネルは、前記フレーム上に配置され、前記表示パネルの縁に沿って前記表示パネルの下面と前記フレームの上面との間に介在する第１支持部材を介して前記フレームと結合し、
前記バックライトユニットは、導光板と、
前記導光板の第１側面と前記表示モジュールの前記第１側面との間に配置される光源と、
前記導光板の下面に配置される反射シートと、
前記導光板の上部に配置される光学シートと、を含み、
前記光学シートの第１側面は、前記導光板の第１側面と同一平面に位置することを特徴とする請求項２１に記載の表示装置。
【請求項２４】
前記第１支持部は、前記ユーザーホールと接する側部の端部が折り曲げられて形成されることを特徴とする請求項２１に記載の表示装置。
【請求項２５】
前記シールドカバーは、前記ユーザーホールの第２縁で上部方向に突出形成され前記表示モジュールの下面と接する第２支持部をさらに含み、
前記ユーザーホールの前記第２縁は、前記第１縁に隣接して前記側部に対し垂直であることを特徴とする請求項２１に記載の表示装置。
【請求項２６】
前記シールドカバーは、前記本体部の中央で上部方向に突出形成され前記回路基板の下面と接する結合部をさらに含み、
前記第２支持部は、前記結合部より前記本体部の前記第１側辺に隣接することを特徴とする請求項２５に記載の表示装置。
【請求項２７】
前記シールドカバーの本体部は、前記表示パネルと平行する底部と、
前記底部の第１側辺から斜線方向に延長して前記側部と接続される傾斜部と、を含み、
前記斜線方向は、前記底部と鈍角をなし、
前記結合部は、前記底部から突出形成され、
前記第２支持部は、前記傾斜部で突出形成されることを特徴とする請求項２６に記載の表示装置。
【請求項２８】
表示パネルを含む表示モジュールと、
前記表示モジュールの下部に配置され、前記表示パネルの第１辺に接続される回路基板と、
前記表示モジュールの第１側面の少なくとも一部と前記回路基板をカバーするシールドカバーと、を有し、
前記シールドカバーは、前記回路基板の下部に配置される本体部と、
前記第１辺に隣接した前記表示モジュールの第１側面に沿って前記本体部の第１側辺で上部方向に延長する側部と、
前記側部に隣接して前記表示モジュールの下面を部分的に露出させるユーザーホールと、
前記ユーザーホールの第１縁で上部方向に突出形成され前記表示モジュールの下面と接する第１支持部と、を含み、
前記ユーザーホールの前記第１縁は、前記側部に隣接し、前記側部に対し垂直であることを特徴とする表示装置。
【請求項２９】
前記シールドカバーは、前記本体部の中央で上部方向に突出形成され前記回路基板の下面と接する結合部をさらに含み、
前記第１支持部は、前記結合部より前記本体部の前記第１側辺に隣接することを特徴とする請求項２８に記載の表示装置。
【請求項３０】
前記シールドカバーの本体部は、前記表示パネルと平行する底部と、
前記底部の第１側辺から斜線方向に延長して前記側部と接続される傾斜部と、を含み、
前記斜線方向は、前記底部と鈍角をなし、
前記結合部は、前記底部から突出形成され、
前記第１支持部は、前記傾斜部で突出形成されることを特徴とする請求項２９に記載の表示装置。
【発明の詳細な説明】
【技術分野】
【０００１】
本発明は、表示装置に関し、特に、外力、静電気に起因した不良を防止することができる表示装置に関する。
【背景技術】
【０００２】
液晶表示装置は、薄膜トランジスタと、画素電極が配列された下部ガラス基板と、共通電極とで構成された上部ガラス基板と、上部と下部ガラス基板の間に埋められた液晶と、色相を現わすためのカラーフィルタとを含む。
ただし、液晶表示装置は、自体発光ができず、外部から入る光の透過率を、液晶を用いて調節して映像を表示するので、バックライトユニット（Ｂａｃｋｌｉｇｈｔ  Ｕｎｉｔ）が求められる。
【０００３】
バックライトユニットは、光源の配列構造によって直下型（Ｄｉｒｅｃｔ  Ｔｙｐｅ）方式とエッジ型（Ｅｄｇｅ  ｔｙｐｅ）方式とに区分されるが、エッジ型方式は、光源が導光板の一側部に配置された構造を有し、直下型方式は、光源がディスプレイの下部に配置された構造を有する。
近年では表示装置の軽量化、薄型化の傾向によりエッジ型方式が脚光を浴びている。
【０００４】
このようなエッジ型のバックライトユニット表示装置に対し、軽量化、薄型化の傾向に伴う外力、静電気等に起因した不良を防止することが課題となっている。
【発明の概要】
【発明が解決しようとする課題】
【０００５】
本発明は上記従来の表示装置における課題に鑑みてなされたものであって、本発明の目的は、外力、静電気等に起因した不良を防止することができ、向上した製品安定性を有して軽量化が可能な表示装置を提供することにある。
【課題を解決するための手段】
【０００６】
上記目的を達成するためになされた本発明による表示装置は、表示パネルを含む表示モジュールと、前記表示モジュールの下部に配置され、前記表示パネルの第１辺に接続される回路基板と、前記回路基板の下部に配置される本体部と、前記第１辺に隣接した前記表示モジュールの第１側面に沿って前記本体部の第１側辺で上部方向に延長する側部と、前記本体部の前記第１側辺と隣接する前記本体部の第２側辺から上部方向に突出形成され、前記表示モジュールの下面と接する第１支持部と、を含むシールドカバーと、を有することを特徴とする。
【０００７】
一端が前記表示パネルの前記第１辺に隣接する前記表示パネルの上面に直接接続され、下部方向に曲がり、他端が前記回路基板と直接接続される接続フィルムをさらに有し、前記シールドカバーは、前記接続フィルムの少なくとも一部と前記回路基板とをカバーすることが好ましい。
前記表示モジュールは、光を放射するバックライトユニットと、中央に開口を有して前記バックライトユニットの上部に配置されるフレームと、をさらに含み、前記表示パネルは、前記フレームの上部に配置され、前記フレームの側面には前記フレームの上面から前記フレームの下面まで延長する溝が形成され、前記接続フィルムは、前記フレームの溝に沿って配置されることが好ましい。
前記表示モジュールは、光を放射するバックライトユニットと、中央に開口を有して前記バックライトユニットの上部に配置されるフレームと、をさらに含み、前記フレームの第１辺から前記開口までの第１幅は、前記フレームの第２辺から前記開口までの第２幅より大きく、前記表示パネルは、前記フレーム上に配置され、前記表示パネルの縁に沿って前記表示パネルの下面と前記フレームの上面との間に介在する第１支持部材を介して前記フレームと結合することが好ましい。
【０００８】
前記バックライトユニットは、導光板と、前記導光板の第１側面と前記表示モジュールの前記第１側面との間に配置される光源と、前記導光板の下面に配置される反射シートと、前記導光板の上部に配置され、前記導光板の前記第１側面から離隔する光学シートと、を含み、前記フレームは、前記光学シートによって露出した前記導光板の上面と前記フレームとの間に配置される第２支持部材を含むことが好ましい。
前記フレームは、上面の縁に沿って上部方向に突出した突出部を含み、前記表示パネルは、表示パネルの上部の側面と前記突出部との間に配置される接着部材を介して前記フレームの突出部に結合することが好ましい。
前記表示モジュールは、ハウジングをさらに含み、前記ハウジングは、前記バックライトユニットの下部に配置される底部と、前記底部の縁から上部方向に延長して前記バックライトユニットの側面と接する側壁と、を含み、前記側壁の上端部には下部方向に凹んだ溝が形成され、前記光学シートは、その縁で水平方向に突出した突出部を含み、前記光学シートの突出部は、前記ハウジングの前記側壁の前記溝に固定されることが好ましい。
【０００９】
前記ハウジングは、下面で下部方向に突出形成され、中央に第１結合穴を含む第１結合部を含み、前記回路基板は、前記ハウジングの前記第１結合穴に対応する穴を含み、前記シールドカバーは、前記ハウジングの前記結合部に対応して前記本体部で上部方向に突出形成され、中央に第２結合穴を含む第２結合部を含み、前記シールドカバーの前記第２結合穴、前記回路基板の前記穴、及び前記ハウジングの前記第１結合穴を貫く結合部材によって、前記ハウジング、前記回路基板、及び前記シールドカバーが相互固定されることが好ましい。
前記回路基板の前記穴は、前記ハウジングの前記第１結合穴より大きく、前記シールドカバーの第２結合穴より大きく、前記シールドカバーの前記第２結合部は、前記回路基板の前記穴を介して前記ハウジングの前記第１結合部と部分的に接することが好ましい。
前記シールドカバーは、前記側部の上端部から水平方向に延長して前記表示モジュールの上面と接する係止固定部をさらに含み、前記水平方向は、前記上部方向に対し垂直であることが好ましい。
前記第１支持部は、前記本体部の第２側辺の端部が折り曲げられて形成されることが好ましい。
【００１０】
前記シールドカバーは、前記本体部の中央で上部方向に突出形成され前記回路基板の下面と接する結合部をさらに含むことが好ましい。
前記第１支持部は、前記結合部より前記本体部の前記第１側辺に隣接することが好ましい。
前記シールドカバーの本体部は、前記表示パネルと平行する底部と、前記底部の第１側辺から斜線方向に延長して前記側部と接続される傾斜部と、を含み、前記斜線方向は、前記底部と鈍角をなし、前記結合部は、前記底部から突出形成され、前記第１支持部は、前記傾斜部から突出形成されることが好ましい。
前記シールドカバーは、前記本体部の前記第２側辺から上部方向に突出形成される第２支持部をさらに含み、前記第２支持部は、前記底部と接続されることが好ましい。
前記シールドカバーの本体部は、前記表示パネルと平行する底部と、前記底部の第１側辺から斜線方向に延長して前記側部と接続される傾斜部と、を含み、前記斜線方向は、前記底部と鈍角をなし、前記結合部は、前記底部から突出形成され、前記第１支持部は、前記底部から突出形成され前記傾斜部と接することが好ましい。
前記シールドカバーの前記本体部の第３側辺の少なくとも一部は、上部方向に折り曲げられて前記表示モジュールの下面と接し、前記第３側辺は、前記第１側辺に対向することが好ましい。
前記シールドカバーには前記側部に隣接して前記表示モジュールの下面を部分的に露出させるユーザーホールが形成され、前記シールドカバーは、前記ユーザーホールの第１縁で水平方向に突出形成され、前記表示モジュールの下面と接する第３支持部をさらに含み、前記水平方向は、前記上部方向に対し垂直であり、前記ユーザーホールの前記第１縁は、前記側部に隣接し前記側部に対し平行であることが好ましい。
前記シールドカバーは、前記ユーザーホールの前記第１縁と隣接した前記第２縁で上部方向に突出形成され前記表示モジュールの下面と接する第４支持部をさらに含むことが好ましい。
前記シールドカバーには前記側部に隣接して前記表示モジュールの下面を部分的に露出させるユーザーホールが形成され、前記シールドカバーは、前記ユーザーホールの第２縁で上部方向に突出形成され、前記表示モジュールの下面と接する第４支持部をさらに含み、前記第２縁は、前記側部に隣接し前記側部に対し垂直であることが好ましい。
【００１１】
また、上記目的を達成するためになされた本発明による表示装置は、表示パネルを含む表示モジュールと、前記表示モジュールの下部に配置され、前記表示パネルの第１辺に接続される回路基板と、前記表示モジュールの第１側面の少なくとも一部と前記回路基板をカバーするシールドカバーと、を有し、前記シールドカバーは、前記回路基板の下部に配置される本体部と、前記第１辺に隣接した前記表示モジュールの第１側面に沿って前記本体部の第１側辺で上部方向に延長する側部と、前記側部に隣接して前記表示モジュールの下面を部分的に露出させるユーザーホールと、前記ユーザーホールの第１縁で水平方向に突出形成され前記表示モジュールの下面と接する第１支持部と、を含み、前記水平方向は、前記上部方向に対し垂直であり、前記ユーザーホールの前記第１縁は、前記側部に隣接し、前記側部に対し平行であることを特徴とする。
【００１２】
一端が前記表示パネルの前記第１辺に隣接する前記表示パネルの下面に直接接続され、下部方向に曲がり、他端が前記回路基板と直接接続される接続フィルムをさらに有し、前記シールドカバーは、前記接続フィルムの少なくとも一部と前記回路基板とをカバーすることが好ましい。
前記表示モジュールは、光を放射するバックライトユニットと、中央に開口を有して前記バックライトユニットの上部に配置されるフレームと、をさらに含み、前記表示パネルは、前記フレーム上に配置され、前記表示パネルの縁に沿って前記表示パネルの下面と前記フレームの上面との間に介在する第１支持部材を介して前記フレームと結合し、前記バックライトユニットは、導光板と、前記導光板の第１側面と前記表示モジュールの前記第１側面との間に配置される光源と、前記導光板の下面に配置される反射シートと、前記導光板の上部に配置される光学シートと、を含み、前記光学シートの第１側面は、前記導光板の第１側面と同一平面に位置することが好ましい。
前記第１支持部は、前記ユーザーホールと接する側部の端部が折り曲げられて形成されることが好ましい。
前記シールドカバーは、前記ユーザーホールの第２縁で上部方向に突出形成され前記表示モジュールの下面と接する第２支持部をさらに含み、前記ユーザーホールの前記第２縁は、前記第１縁に隣接して前記側部に対し垂直であることが好ましい。
前記シールドカバーは、前記本体部の中央で上部方向に突出形成され前記回路基板の下面と接する結合部をさらに含み、前記第２支持部は、前記結合部より前記本体部の前記第１側辺に隣接することが好ましい。
前記シールドカバーの本体部は、前記表示パネルと平行する底部と、前記底部の第１側辺から斜線方向に延長して前記側部と接続される傾斜部と、を含み、前記斜線方向は、前記底部と鈍角をなし、前記結合部は、前記底部から突出形成され、前記第２支持部は、前記傾斜部で突出形成されることが好ましい。
【００１３】
また、上記目的を達成するためになされた本発明による表示装置は、表示パネルを含む表示モジュールと、前記表示モジュールの下部に配置され、前記表示パネルの第１辺に接続される回路基板と、前記表示モジュールの第１側面の少なくとも一部と前記回路基板をカバーするシールドカバーと、を有し、前記シールドカバーは、前記回路基板の下部に配置される本体部と、前記第１辺に隣接した前記表示モジュールの第１側面に沿って前記本体部の第１側辺で上部方向に延長する側部と、前記側部に隣接して前記表示モジュールの下面を部分的に露出させるユーザーホールと、前記ユーザーホールの第１縁で上部方向に突出形成され前記表示モジュールの下面と接する第１支持部と、を含み、前記ユーザーホールの前記第１縁は、前記側部に隣接し、前記側部に対し垂直であることを特徴とする。
【００１４】
前記シールドカバーは、前記本体部の中央で上部方向に突出形成され前記回路基板の下面と接する結合部をさらに含み、前記第１支持部は、前記結合部より前記本体部の前記第１側辺に隣接することが好ましい。
前記シールドカバーの本体部は、前記表示パネルと平行する底部と、前記底部の第１側辺から斜線方向に延長して前記側部と接続される傾斜部と、を含み、前記斜線方向は、前記底部と鈍角をなし、前記結合部は、前記底部から突出形成され、前記第１支持部は、前記傾斜部で突出形成されることが好ましい。
【発明の効果】
【００１５】
本発明に係る表示装置によれば、エッジ型（Ｅｄｇｅ  ｔｙｐｅ）のバックライトユニットを介して４個の側面のうち３個の側面でベゼルを最小化し、また、シールドカバーを用いて接続フィルム及び回路基板をカバーすることによって、外力、静電気に起因した不良を防止することができる。
さらに、シールドカバーは、結合部、支持部等を介してハウジング（又は表示モジュール）を基準として２点（ｔｗｏ  ｐｏｉｎｔｓ）で支持されることによって、シールドカバーの垂直方向への流動及びこれに起因した表示装置の不良などを防止することができる。
したがって、製品の安定性を向上させることができる。
【図面の簡単な説明】
【００１６】
【図１】本発明の一実施形態による表示装置の概略斜視図である。
【図２】図１の表示装置の分解斜視図である。
【図３】図１のＩ−Ｉ’線に沿って切断した断面図である。
【図４】図１のＩＩ−ＩＩ’線に沿って切断した断面図である。
【図５】図１の表示装置に含まれるハウジング及び光学シートを示す斜視図である。
【図６】図１の表示装置に含まれるハウジングを示す背面図である。
【図７】本発明の一実施形態による回路基板が結合されたハウジングを示す背面図である。
【図８】図１の表示装置に含まれるシールドカバーを示す背面図である。
【図９】図８のシールドカバーの一例を示す斜視図である。
【図１０】図９のシールドカバーの側方断面を示す断面図である。
【図１１】図８のシールドカバーの他の一例を示す斜視図である。
【図１２】図１１のシールドカバーの側方断面を示す断面図である。
【図１３】本発明の他の実施形態による表示装置を示す断面図である。
【図１４】図１３の表示装置に含まれるシールドカバーを示す図である。
【図１５】図１４のシールドカバーの一例を示す部分斜視図である。
【図１６】図１５のシールドカバーの側方断面を示す断面図である。
【図１７】図１４のシールドカバーの他の一例を示す斜視図である。
【図１８】本発明の他の実施形態による表示装置を示す斜視図である。
【図１９】図１８のＩＩＩ−ＩＩＩ’線に沿って切断した断面図である。
【図２０】図１８のＩＶ−ＩＶ’線に沿って切断した断面図である。
【発明を実施するための形態】
【００１７】
次に、本発明に係る表示装置を実施するための形態の具体例を図面を参照しながら説明する。
【００１８】
本発明は、以下に開示する実施形態に限定されるものではなく、互いに異なる多様な形態に具現されるものであり、本実施形態は、単に本発明の開示を完全にし、本発明が属する技術分野における通常の知識を有する者に発明の範疇を完全に知らせるために提供するものであり、本発明は、請求項の範疇によってのみ定義される。
【００１９】
素子（ｅｌｅｍｅｎｔｓ）又は層が他の素子又は層の「上（ｏｎ）」と称する場合、他の素子の真上に又は中間に他の層又は他の素子を介在した場合をすべて含む。
一方、素子が「直接上（ｄｉｒｅｃｔｌｙ  ｏｎ）」と称する場合、中間に他の素子又は層を介在しない場合を示す。
明細書全体にわたって同一参照符号は、同一構成要素を称する。
「及び／又は」は、言及されたアイテムのそれぞれ及び一つ以上のすべての組み合わせを含む。
【００２０】
図１は、本発明の一実施形態による表示装置の概略斜視図であり、図２は図１の表示装置の分解斜視図であり、図３は図１のＩ−Ｉ’線に沿って切断した断面図であり、図４は図１のＩＩ−ＩＩ’線に沿って切断した断面図であり、図５は図１の表示装置に含まれるハウジング及び光学シートを示す斜視図であり、図６は図１の表示装置に含まれるハウジングを示す背面図であり、図７は本発明の一実施形態による回路基板が結合されたハウジングを示す背面図であり、図８は図１の表示装置に含まれるシールドカバーを示す背面図である。
【００２１】
図１〜図８を参照すると、表示装置１００は、平面上、実質的な長方形形状からなる。
表示装置１００は、平面上、角（コーナー）が直角の長方形であり得る。
ただし、これに制限されるものではなく、表示装置１００は平面上角が丸い長方形形状でもあり得る。
表示装置１００は、４個の辺又はエッジを含む。
表示装置１００は、第２方向ＤＲ２に延長した長辺（ＬＳ１、ＬＳ２）及び第２方向ＤＲ２と交差する方向の第１方向ＤＲ１に延長した短辺（ＳＳ１、ＳＳ２）を含む。
他に定義しない限り、本明細書において「上部」、「上面」、「上側」は、表示パネル２１０を基準として表示面側、又は第３方向ＤＲ３の矢印が向かう方向を意味し、「下部」、「下面」、「下側」は、表示パネル２１０を基準として表示面の反対側、又は第３方向ＤＲ３の矢印が向かう方向の反対方向を意味する。
【００２２】
図１において、表示装置１００の左側に位置する長辺を第１長辺ＬＳ１、右側に位置する長辺を第２長辺ＬＳ２、上側に位置する短辺を第１短辺ＳＳ１、下側に位置する短辺を第２短辺ＳＳ２と称することとする。
図１に示すように、表示装置１００は、第１長辺ＬＳ１で他の辺（ＳＳ１、ＳＳ２、ＬＳ２）のベゼルより厚いベゼルを含む。
他の辺（ＳＳ１、ＳＳ２、ＬＳ２）でのベゼルの厚さ（又は幅）は、実質的に相互に同じであり、例えば、他の辺（ＳＳ１、ＳＳ２、ＬＳ２）でのベゼルの幅は、後述するケース３１０の厚さと同一又は類似であり得る。
【００２３】
一方、他の辺（ＳＳ１、ＳＳ２、ＬＳ２）でのベゼルの幅は、後述するケース３１０の厚さと実質的に同一である。
すなわち、表示装置１００の４個の辺（ＬＳ１、ＬＳ２、ＳＳ１、ＳＳ２）の内の３個の辺（ＳＳ１、ＳＳ２、ＬＳ２）で、ベゼルがほとんど存在しない場合もある。
ただし、これに制限されるものではなく、表示装置１００は、４個の辺（ＬＳ１、ＬＳ２、ＳＳ１、ＳＳ２）でベゼルをほとんど含まなくてもよく、これについては図１３を参照して後述する。
【００２４】
表示装置１００の第１長辺ＬＳ１での上面は、他の辺（ＳＳ１、ＳＳ２、ＬＳ２）での上面より上部に突出している。
すなわち、第１長辺ＬＳ１でのベゼルは、他のベゼルより突出形成され得る。
後述するが、表示装置１００の第１長辺ＬＳ１側でケース３１０が突出形成され、内部構成要素（例えば、フレーム２２０）をカバーし、内部構成要素が外部に露出することを防止できる。
【００２５】
表示装置１００は、表示パネル２１０、フレーム２２０（又はｍｏｌｄ  ｆｒａｍｅ）、バックライトユニット２３０、ハウジング２４０（又はｂｏｔｔｏｍ  ｃｈａｓｓｉｓ）及びシールドカバー（ｓｈｉｅｌｄ  ｃｏｖｅｒ）（又はシールドケース）２５０を含む。
また、表示装置１００は、表示パネル２１０に接続される接続フィルム２１１及び回路基板２１２をさらに含む。
さらに、表示装置１００は、ケース３１０をさらに含む。
【００２６】
表示装置１００の製造工程において、バックライトユニット２３０は、ハウジング２４０に収納され、以後、フレーム２２０がハウジング２４０上に置かれ、ハウジング２４０の上面（及び側面）をカバーし、表示パネル２１０がフレーム２２０上に配置される。
これを表示モジュールと称する。
以後、シールドカバー２５０が表示モジュール（すなわち、表示パネル２１０ないしハウジング２４０が順に積層した構造物）の一側に（例えば、第１長辺ＬＳ１側に）結合され、シールドカバー２５０が結合された表示モジュールはケース３１０に挿入される。
表示装置１００の製造順（又は配置順、結合順）に従い、バックライトユニット２３０、ハウジング２４０、フレーム２２０、表示パネル２１０、シールドカバー２５０、及びケース３１０の順に説明する。
【００２７】
まず、バックライトユニット２３０は光を生成し放射する。
バックライトユニット２３０は、光源２３１、反射シート２３３、導光板２３２、及び光学シート２３４を含み得る。
導光板２３２は、光の進行経路を案内するか又は導く。
導光板２３２は、概して多角柱形状を有し得る。
導光板２３２の平面形状は、長方形であり得るが、これに制限されるものではない。
例えば、導光板２３２は、長方形の平面形状を有し、上面、下面及び４個の側面を含み得る。
導光板２３２は無機物質を含み得、例えば、導光板２３２はガラスで構成されるが、これに制限されるものではない。
【００２８】
光源２３１は光を生成する。
図２及び図３に示すように、光源２３１は、導光板２３２の一側面に隣接して配置され、光源２３１から放射される光は導光板２３２の一側面に入る。
光源２３１は、全体的に四角形の柱形状を有し、光源２３１の上下側への長さは、導光板２３２の一側面（例えば、第１長辺ＬＳ１での側面）の長さと同一又は小さく、光源２３１の左右側への幅は、長さに比べて非常に小さくてもよい。
すなわち、光源２３１は上下側に延びた棒形状を有し得る。
【００２９】
光源２３１は、複数のＬＥＤ光源を含み、複数のＬＥＤ光源は、光源２３１の一側面（すなわち、導光板２３２の一側面に隣接する側面）上で長さ方向（すなわち、上下側への長さ方向）に沿って配列される。
光源２３１は導光板２３２から一定間隔を有して離隔して配置される。
この場合、光源２３１から発生した熱によって導光板２３２が損傷することを防止できる。
光源２３１は、導光板２３２の高さ（又は厚さ）より大きい高さ（すなわち、上下部方向への高さ）を有し得る。
光源２３１が上下部方向（又は第３方向、ＤＲ３）に相対的に長く形成されることによって、表示装置１００の一側辺のベゼル（又は映像が表示されないデッドスペース（ｄｅａｄ  ｓｐａｃｅ））が減少し得る。
【００３０】
反射シート２３３は、導光板２３２の下面に配置される。
反射シート２３３は、導光板２３２と同様に四角形の平面形状を有し、また、導光板２３２の大きさ（又は面積）と同一又は類似の大きさを有し得る。
反射シート２３３は、導光板２３２と後述するハウジング２４０（又はハウジング２４０の底面）との間に配置される。
反射シート２３３は、反射フィルムや反射コーティング層を含み得る。
反射シート２３３は、導光板２３２から下部に出射される光を反射して再び導光板２３２の内部に進入させる。
反射シート２３３の反射率（又は反射シート２３３に含まれた反射物質の密度）は、光源２３１に隣接するほど減少し、光源２３１から離隔するほど増加し得る。
【００３１】
光学シート２３４は、導光板２３２の上面に配置される。
光学シート２３４は、概ね四角形の平面形状を有し得る。
光学シート２３４は、一つ又は複数の光学フィルム（又はシート）を含み、光学フィルムは、プリズムシート、拡散シート、マイクロレンズシート、レンチキュラーシート、偏光シート、反射偏光シート、位相差シートなどであり得る。
光学シート２３４は、導光板２３２に結合されず（又は付着されず）、光学シート２３４は、導光板２３２から分離した状態を維持し得る。
【００３２】
図５に示すように、光学シート２３４は、縁（ふち、又は周縁）にて外側に（すなわち、平面上で重心から外側に）突出形成された複数の突出部（２３４＿Ｐ）を含み、光学シート２３４の突出部（２３４＿Ｐ）は、ハウジング２４０の縁に沿って形成された凹部（２４０＿Ｇ）に係止固定される。
ここで、光学シート２３４の突出部（２３４＿Ｐ）の突出した長さは、ハウジング２４０（又はハウジング２４０の側壁）の厚さＤ２と同一又は類似であり得る。
ハウジング２４０の凹部（２４０＿Ｇ）は、ハウジング２４０の側壁で上下部方向に形成された凹凸形状の内の凹んだ部分である。
【００３３】
一方、バックライトユニット２３０は、エッジ型（ｅｄｇｅ  ｔｙｐｅ）バックライトユニットの場合を説明したが、これに制限されるものではなく、バックライトユニット２３０は、光源が表示パネルの下部に配置される直下型（ｄｉｒｅｃｔ）バックライトユニットでもあり得る。
【００３４】
バックライトユニット２３０は、ハウジング２４０に収納される。
ハウジング２４０は、四角形の平面形状を有する底部と、底部の縁で上部方向に延びた側壁を含む。
ハウジング２４０の底部と側壁によって収納空間（又は内部キャビティ領域）（２４０＿Ｓ）が形成されるか、定義され、バックライトユニット２３０は、ハウジング２４０の収納空間（２４０＿Ｓ）に収納される。
ハウジング２４０の側壁は十分な高さを有し、この場合、ハウジング２４０に収納されたバックライトユニット２３０は側方ではハウジング２４０より露出されなくてもよい。
ただし、ハウジング２４０はこれに制限されるものではなく、例えば、側方でバックライトユニット２３０がハウジング２４０の側壁より上部方向に突出することもあり得る。
【００３５】
図３及び図６に示すように、ハウジング２４０の底部の一部分（例えば、第１長辺ＬＳ１側の縁部分）（２４０＿Ｄ）は、下方に凸に突出し、ハウジング２４０の底部の一部分（２４０＿Ｄ）の内側には相対的に大きい高さを有する光源２３１が配置される。
光源２３１は、収納空間（２４０＿Ｓ）のうちハウジング２４０の底部の一部分（２４０＿Ｄ）により拡張された領域（２４０＿ＳＰ）内に位置し得る。
ハウジング２４０の下面（又はハウジング２４０の底部の下面）には結合部（ＥＭＢＯ）が形成される。
図６に示すように、ハウジング２４０の下面には第１〜第３結合部（ＥＭＢＯ１〜ＥＭＢＯ３）及び第１１〜第２５結合部（ＥＭＢＯ１１〜ＥＭＢＯ２５）が形成される。
説明の便宜上、第１〜第３結合部（ＥＭＢＯ１〜ＥＭＢＯ３）及び第１１〜第２５結合部（ＥＭＢＯ１１〜ＥＭＢＯ２５）の共通の特徴については、これらを結合部（ＥＭＢＯ）と称して説明する。
【００３６】
結合部（ＥＭＢＯ）は、円形の平面形状を有し、中央に第１穴（ＨＯＬＥ１）（又は第３穴（ＨＯＬＥ３））を含み、断面図上ハウジング２４０の底部を基準として下部方向に段階的に突出形成される。
第１〜第３結合部（ＥＭＢＯ１〜ＥＢＭＯ３）それぞれの第１穴（ＨＯＬＥ１）には結合部材（ＳＣＲＥＷ）（例えば、ボルト）が挿入され、結合部材（ＳＣＲＥＷ）を介して後述するシールドカバー２５０及び回路基板２１２がハウジング２４０の下面に固定される。
第１〜第３結合部（ＥＭＢＯ１〜ＥＭＢＯ３）は、表示装置１００の第１領域（Ａ１）上に位置し、第１結合部（ＥＭＢＯ１）及び第３結合部（ＥＭＢＯ３）は、表示装置１００の第１及び第２短辺（ＳＳ１、ＳＳ２）に隣接して位置し、第２結合部（ＥＭＢＯ２）は、第１結合部（ＥＭＢＯ１）と第３結合部（ＥＭＢＯ３）との間に位置する。
ここで、第１領域（Ａ１）は、後述する回路基板２１２及びシールドカバー２５０が配置又は結合される領域である。
【００３７】
また、第１〜第３結合部（ＥＭＢＯ１〜ＥＭＢＯ３）は、相互に同じ線上に配置されるか、相互に平行であるか、他の線上にそれぞれ配置され得る。
図６に示すように、第１結合部（ＥＭＢＯ１）及び第３結合部（ＥＭＢＯ３）は、第２線（ＬＩＮＥ２）上に配置され、第２結合部（ＥＢＭＯ２）は第１線（ＬＩＮＥ１）上に配置される。
この場合、第１〜第３結合部（ＥＭＢＯ１〜ＥＭＢＯ３）は、シールドカバー２５０（回路基板２１２）を第１短辺ＳＳ１の延長方向を基準として２点（ｔｗｏ  ｐｏｉｎｔｓ）（又は２列（ｔｗｏ  ｌｉｎｅｓ））で固定又は支持する。
同様に、第１１〜第２５結合部（ＥＭＢＯ１１〜ＥＭＢＯ２５）は、ハウジング２４０の下面で縁（周縁）に隣接して全体的に均等に分布して配置される。
第１１〜第２５結合部（ＥＭＢＯ１１〜ＥＭＢＯ２５）それぞれの第３穴ＨＯＬＥ３には結合部材（例えば、ボルト）が挿入され、結合部材を介してハウジング２４０は、後述するケース３１０と結合される。
【００３８】
一方、ハウジング２４０の下面（又はハウジング２４０の下面のうち第１領域（Ａ１））には第１及び第２ガイド穴（ＧＨ１、ＧＨ２）が形成される。
第１及び第２ガイド穴（ＧＨ１、ＧＨ２）には後述するシールドカバー２５０のガイドピン（ＧＰ１、ＧＰ２）が配置され、これにより、シールドカバー２５０の水平方向での位置調整（又は整列（ａｌｉｇｎｍｅｎｔ））が行われ得る。
【００３９】
再び図２及び図３を参照すると、フレーム２２０は、バックライトユニット２３０及びハウジング２４０の上部に配置され、ハウジング２４０の上面の一部と側面の少なくとも一部をカバーし得る。
フレーム２２０は四角形の平面形状を有し、縁で下へ延びた側壁を含む。
フレーム２２０は、ハウジング２４０の大きさより側壁の厚さ（Ｄ１、Ｄ４）だけ大きい大きさを有し得る。
フレーム２２０の内側面の少なくとも一部はハウジング２４０の外側面と接し得る。
【００４０】
図５及び図６に示すように、ハウジング２４０の外側面に凸部（ＰＲＯ）が形成される場合、フレーム２２０の内側面は凸部（ＰＲＯ）と接し、凸部（ＰＲＯ）を介してハウジング２４０はフレーム２２０の内側面に嵌挿結合される。
フレーム２２０は、中央又は中央領域に穴（又は開口（ｏｐｅｎｉｎｇ））（ＯＰ）を含み、穴（ＯＰ）は、概ね四角形の平面形状を有し、穴（ＯＰ）は、相対的に第１長辺ＬＳ１から離隔し、第２長辺ＬＳ２に隣接し得る。
フレーム２２０で穴（ＯＰ）の位置に応じて、フレーム２２０は、第１短辺ＳＳ１、第２長辺ＬＳ２及び第２短辺ＳＳ２で概ね一定の厚さ（又は幅）を有し、第１長辺ＬＳ１では他の辺（ＬＳ２、ＳＳ１、ＳＳ２）での厚さより厚い厚さを有し得る。
【００４１】
フレーム２２０は、第１長辺ＬＳ１側でバックライトユニット２３０の光源２３１をカバーする。
穴（ＯＰ）の大きさ（又は平面図上の面積）は、バックライトユニット２３０の光学シート２３４の大きさより小さくてもよい。
光学シート２３４の面積中心と穴（ＯＰ）の面積中心が一致する場合、光学シート２３４の縁がフレーム２２０と導光板２３２との間に位置し、光学シート２３４はフレーム２２０と導光板２３２とにより上下部方向（又は垂直方向）で固定され得る。
【００４２】
一方、光学シート２３４により露出した導光板２３２の一部（例えば、上面の縁部分）とフレーム２２０との間には第２支持部材ＴＡ２が配置され得る。
第２支持部材ＴＡ２は、粘着剤等を介してフレーム２２０の下面に付着し、導光板２３２とは結合されない（すなわち、分離した状態を維持し得る）。
第２支持部材ＴＡ２は、光学シート２３４の厚さと同一又は小さい厚さを有し、フレーム２２０と導光板２３２の相互間に衝撃などが伝達されることを防止又は緩和できる。
一方、第２支持部材ＴＡ２が光学シート２３４より小さい厚さを有する場合、フレーム２２０の下面の一部が第２支持部材ＴＡ２に対応して下部方向に突出形成され得る。
この場合、フレーム２２０と重なる光学シート２３４の縁部分が加圧されることを防止し得る。
【００４３】
一方、図２でフレーム２２０は一体で構成される場合を示しているが、フレーム２２０はこれに制限されるものではない。
例えば、フレーム２２０は、４個の辺にそれぞれ対応し、相互独立した４個の固定部材、又は４個の辺及び４個の角に対応する８個の固定部材で構成され得る。
【００４４】
表示パネル２１０は、フレーム２２０の上部に配置される。
表示パネル２１０は、画像をディスプレイ（表示）するパネルである。
例えば、表示パネル２１０は、液晶表示パネル（ｌｉｑｕｉｄ  ｃｒｙｓｔａｌ  ｄｉｓｐｌａｙ  ｐａｎｅｌ）であり得る。
以下の実施形態では液晶表示パネルを含む平面表示装置の場合を例示するが、これに制限されず、エレクトロウェッティング表示パネル（ｅｌｅｃｔｒｏ  ｗｅｔｔｉｎｇ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びＭＥＭＳ表示パネル（ｍｉｃｒｏ  ｅｌｅｃｔｒｏ  ｍｅｃｈａｎｉｃａｌ  ｓｙｓｔｅｍ  ｄｉｓｐｌａｙ  ｐａｎｅｌ）等他の種類の表示パネルも適用され得る。
【００４５】
表示パネル２１０は、バックライトユニット２３０の導光板２３２の大きさ（又は面積）と類似の大きさを有し、また、フレーム２２０の穴（ＯＰ）の大きさより大きい大きさを有し、フレーム２２０（又はフレーム２２０の穴（ＯＰ））により露出したバックライトユニット２３０の上面を完全にカバーするように配置される。
表示パネル２１０とフレーム２２０との間には第１支持部材ＴＡ１が配置される。
第１支持部材ＴＡ１は、表示パネル２１０の縁に沿って配置され、フレーム２２０の穴（ＯＰ）により露出したバックライトユニット２３０の上面とは重ならなくてもよい。
例えば、第１支持部材ＴＡ１は、両面粘着テープで具現され、表示パネル２１０の下面及びフレーム２２０の上面にそれぞれ付着し、第１支持部材ＴＡ１を介して表示パネル２１０及びフレーム２２０が相互結合される。
【００４６】
また、表示パネル２１０の側面には表示パネル２１０の側面に沿って第３支持部材ＴＡ３（又は接着部材、粘着部材）が配置される。
第３支持部材ＴＡ３は、フレーム２２０の上面で縁に沿って突出形成された部分と表示パネル２１０の側面との間に配置され、表示パネル２１０をフレーム２２０に連結する。
この場合、第３支持部材ＴＡ３により表示パネル２１０の側面とフレーム２２０との間が密封され、表示パネル２１０の側面を介して光が漏れることを防止できる。
表示パネル２１０は、一辺（例えば、第１長辺ＳＳ１）で接続フィルム２１１を介して回路基板２１２と接続される。
【００４７】
図２及び図３に示すように、表示パネル２１０が前面発光構造を有する場合、表示パネル２１０の上面にパッド部（すなわち、内部の配線を外部装置と接続するためのパッドが配置されるパッド部）が位置し、接続フィルム２１１の一端は表示パネル２１０の一側上面（例えば、パッド部）に付着し、接続フィルム２１１の他端は回路基板２１２に付着する。
接続フィルム２１１は、異方性導電フィルム（ａｎｉｓｏｔｒｏｐｉｃ  ｃｏｎｄｕｃｔｉｖｅ  ｆｉｌｍ：ＡＣＦ）、超音波ボンディング技術等を介して表示パネル２１０及び回路基板２１２に接続される。
接続フィルム２１１は、複数のサブ接続フィルム（例えば、４個のサブ接続フィルム）を含み、サブ接続フィルムは表示装置１００の第１長辺ＬＳ１の延長方向に沿って相互離隔して配置される。
ただし、接続フィルム２１１は、これに制限されるものではなく、サブ接続フィルムの間の離隔した空間に対応して形成された穴を含み得る。
【００４８】
回路基板２１２は、プリント回路基板であり、表示パネル２１０の駆動に必要な信号を生成する回路を含む。
表示パネル２１０、フレーム２２０、バックライトユニット２３０、及びハウジング２４０が相互結合された後に、接続フィルム２１１は、表示パネル２１０の下部にベンディングされ（曲げられ）、この場合、回路基板２１２は、表示パネル２１０と重なってハウジング２４０の下部に配置される。
図７に示すように、回路基板２１２は、ハウジング２４０の下面の内の第１領域（Ａ１）内に配置される。
また、回路基板２１２はハウジング２４０の第１〜第３結合部（ＥＭＢＯ１〜ＥＭＢＯ３）の第１穴ＨＯＬＥ１に対応して形成された穴を含み得る。
【００４９】
一方、フレーム２２０は、ベンディングされた接続フィルム２１１に対応して部分的に形成された凹部を含み、接続フィルム２１１はフレーム２２０の凹部に配置される。
例えば、フレーム２２０の凹部は、フレーム２２０の上面から側面に沿って下面まで延長して形成され、凹部の深さは接続フィルム２１１の厚さと同一又は大きくてもよい。
この場合、図３に示すように、断面図上で接続フィルム２１１のベンディング部分はフレーム２２０と重なり、すなわち、接続フィルム２１１の外側面はフレーム２２０の外側面と同一平面に位置するか、フレーム２２０の外側面より内側に位置し得る。
したがって、接続フィルム２１１によりベゼル（又はデッドスペース）が増加することを防止することができる。
【００５０】
シールドカバー２５０は、断面図上、概ね「Ｌ」字形状を有し、表示装置１００の第１長辺ＬＳ１側でフレーム２２０の一側面及びハウジング２４０の下面（又はハウジング２４０の下面の第１領域Ａ１）をカバーする形態に配置される。
シールドカバー２５０は、接続フィルム２１１及び回路基板２１２を外側で囲み、接続フィルム２１１及び回路基板２１２が外部に露出することを防止する。
シールドカバー２５０は、一定の剛性を有し、外力に起因した接続フィルム２１１及び回路基板２１２の損傷を防止する。
また、シールドカバー２５０は、導電層を含んで接続フィルム２１１及び回路基板２１２を静電気などから保護し得る。
【００５１】
図３に示すように、シールドカバー２５０は、本体部（又は本体領域）（２５０＿Ｂ）及び側部（又は側面領域）Ｒ３を含む。
本体部（２５０＿Ｂ）は、ハウジング２４０（又は回路基板２１２）の下部に位置し、側部Ｒ３は、フレーム２２０（又は表示モジュール）の一側面に隣接して位置する。
側部Ｒ３は、本体部（２５０＿Ｂ）の一側辺で表示モジュールの一側面に沿って上部方向に延長する。
本体部（２５０＿Ｂ）は、底部（又は底領域）Ｒ１及び傾斜部（又は傾斜領域）Ｒ２を含む。
シールドカバー２５０の底部Ｒ１は、表示パネル２１０に概ね平行した板形状を有する。
シールドカバー２５０の底部Ｒ１にはハウジング２４０の結合部（ＥＭＢＯ）（又は第１〜第３結合部（ＥＭＢＯ１〜ＥＭＢＯ３））に対応する結合部が形成される。
【００５２】
シールドカバー２５０の結合部は、ハウジング２４０の結合部（ＥＭＢＯ）と同様に、円形の平面形状を有し、中央に第２穴（ＨＯＬＥ２）を有し、断面図上、シールドカバー２５０の底部Ｒ１を基準として上部方向に突出形成される。
第２穴（ＨＯＬＥ２）は、ハウジング２４０の結合部ＥＭＢＯの第１穴（ＨＯＬＥ１）の直径より大きいか同一の直径を有し、第２穴（ＨＯＬＥ２）の中心は、ハウジング２４０の第１穴（ＨＯＬＥ１）の中心と一致する。
前述したとおり、シールドカバー２５０の結合部とハウジング２４０の結合部（ＥＭＢＯ）との間には回路基板２１２が配置され、第１及び第２穴（ＨＯＬＥ１、ＨＯＬＥ２）を貫く結合部材（ＳＣＲＥＷ）によりシールドカバー２５０はハウジング２４０に固定され、また、回路基板２１２がハウジング２４０に固定される。
【００５３】
一方、回路基板２１２に形成された穴は、ハウジング２４０の第１穴（ＨＯＬＥ１）より大きくてもよい。
この場合、ハウジング２４０の結合部（ＥＭＢＯ）の少なくとも一部が回路基板２１２の穴を介して下部方向に突出し得る。
したがって、結合部材（ＳＣＲＥＷ）が挿入される前にも、回路基板２１２は、ハウジング２４０の結合部（ＥＭＢＯ）により固定（又は仮固定）され得る。
シールドカバー２５０の第２穴（ＨＯＬＥ２）が回路基板２１２の穴より小さい場合、シールドカバー２５０の結合部は、ハウジング２４０の結合部（ＥＭＢＯ）に部分的に接し得る。
【００５４】
シールドカバー２５０の底部Ｒ１の一側辺（例えば、表示装置１００の第１長辺ＬＳに隣接した辺）にて底部と鈍角を形成する斜線方向に傾斜部Ｒ２が延長形成される。
シールドカバー２５０の側部Ｒ３は、傾斜部Ｒ２の一側辺で表示装置１００の上部方向に（すなわち、シールドカバー２５０の底部Ｒ１に垂直方向に）延長形成される。
シールドカバー２５０の側部Ｒ３の内側面はフレーム２２０の外側面に接し得る。
シールドカバー２５０が傾斜部Ｒ２を含むことによって、後述するケース３１０との結合が容易になる。
例えば、ケース３１０の一側が断面図上、おおむね「Ｃ」字形状を有する場合、ケース３１０を除いた表示装置１００が傾いた状態でその一部分（すなわち、シールドカバー２５０が位置する一部分）がケース３１０の一側内部に先に挿入され、以後その残りの部分がケース３１０に挿入される。
【００５５】
シールドカバー２５０の傾斜部Ｒ２の長さ（すなわち、図３の断面図上で左右方向への長さ）は、ケース３１０の上側カバー部（すなわち、ケース３１０の上面のうち表示装置１００の前面に露出する部分）の長さと同一又は類似し、シールドカバー２５０の傾斜部Ｒ２の傾斜角、すなわち、シールドカバー２５０の底部Ｒ１を基準として傾斜部Ｒ２が形成する鋭角は、表示装置１００の全体の厚さ、ケース３１０の上側カバー部の長さによって決定される。
例えば、ケース３１０の上側カバー部の長さが長いほどシールドカバー２５０の傾斜部Ｒ２の傾斜角が小さくなる。
ただし、これに制限されるものではない。
シールドカバー２５０の側部Ｒ３の上側端部は、表示パネル２１０の上部面まで延び得る。
【００５６】
また、シールドカバー２５０は、係止固定部（又はカバー領域）（２５０＿Ｆ）をさらに含み得る。
係止固定部（２５０＿Ｆ）は、シールドカバー２５０の側部Ｒ３の上側端部で表示パネル２１０側に突出形成されるか、シールドカバー２５０の側部Ｒ３の上側端部が表示パネル２１０側に折り曲げられて形成され得る。
シールドカバー２５０の係止固定部（２５０＿Ｆ）は、フレーム２２０の上面に配置され得る。
この場合、上部方向などでシールドカバー２５０に対して加えられる外力によって、シールドカバー２５０がフレーム２２０を基準に下部に離脱することを防止することができる。
【００５７】
一方、シールドカバー２５０は、傾斜部Ｒ２及び／又は側部Ｒ３で突出形成された支持部をさらに含み得る。
支持部は、表示装置１００の第１長辺ＬＳ１側でハウジング２４０とシールドカバー２５０が一定間隔で離隔した状態を維持するようにし、シールドカバー２５０の上下部方向への（すなわち、垂直方向への）流動（移動）を防止することができる。
支持部の具体的な構成については図９〜図１２を参照して後述する。
【００５８】
シールドカバー２５０が結合部材（ＳＣＲＥＷ）によりハウジング２４０を基準として一点（ｏｎｅ  ｐｏｉｎｔ）（又は一列（ｏｎｅ  ｌｉｎｅ））支持される場合、シールドカバー２５０の側部Ｒ３が上下部方向に流動（移動）する可能性がある。
図６に示すように、シールドカバー２５０が第１及び第２線（ＬＩＮＥ１、ＬＩＮＥ２）に沿って２点（ｔｗｏ  ｐｏｉｎｔｓ）（又は２列（ｔｗｏ  ｌｉｎｅｓ））支持されるとしても、第１及び第２線（ＬＩＮＥ１、ＬＩＮＥ２）が相対的に隣接してシールドカバー２５０の側部Ｒ３が上下部方向に流動（移動）する可能性があり、シールドカバー２５０が歪む可能性がある。
又はハウジング２４０の結合部（ＥＭＢＯ）とシールドカバー２５０の結合部が接して形成する面（又は整列軸（Ｚ＿ＡＬＩＧＮ））が歪んだり、表示パネル２１０の下面を基準として傾く可能性がある。
この場合、シールドカバー２５０の側部Ｒ３が表示パネル２１０の上面より上部方向に突出し、ケース３１０も上部方向に突出し得る。
【００５９】
シールドカバー２５０の他端（２５０＿Ｅ）、すなわち、表示装置１００の中心に隣接する端部は、おおむね「Ｌ」字形態で折り曲げられてハウジング２４０の下面と接し、ガイドピン（ＧＰ１、ＧＰ２）により固定され、これにより、シールドカバー２５０の他端の流動（移動）を部分的に防止し得る。
しかし、シールドカバー２５０の他端（２５０＿Ｅ）の固定だけではシールドカバー２５０の一端、すなわち、シールドカバー２５０の側部Ｒ３の流動（移動）を防止できないこともある。
したがって、シールドカバー２５０は、傾斜部Ｒ２又は側部Ｒ３で内側に突出形成されてハウジング２４０と接する（又はハウジング２４０を支持する）支持部材を介してシールドカバー２５０の側部Ｒ３での流動（移動）（すなわち、上下部方向への流動（移動））を防止することができる。
【００６０】
ケース３１０は、表示装置１００の形状に対応し、図３に示すように第１長辺ＬＳ１側では、おおむね「Ｃ」字形状の断面を有し、図４に示すように他の辺（ＬＳ２、ＳＳ１、ＳＳ２）ではおおむね「Ｌ」字形状を有し得る。
ケース３１０の上側カバー部（３１０＿Ｕ）は、表示パネル２１０により上部方向に露出するフレーム２２０の一部分をカバーする。
【００６１】
図１〜図８を参照して説明したとおり、表示装置１００は、エッジ型（Ｅｄｇｅ  ｔｙｐｅ）のバックライトユニット２３０（すなわち、導光板２３２の一側に配置される光源２３１を含むバックライトユニット２３０）を介して４個の側面のうち３個の側面でベゼルを最小化することができる。
また、表示装置１００は、シールドカバー２５０を用いて接続フィルム２１１及び回路基板２１２をカバーすることによって、外力、静電気などから接続フィルム２１１及び回路基板２１２を保護することができる。
さらに、シールドカバー２５０は、結合部材（ＳＣＲＥＷ）を介してハウジング２４０に支持されるが、追加的に表示装置１００の側面側又はシールドカバー２５０の側部Ｒ３側でハウジング２４０を基準としてシールドカバー２５０を支持する支持部材をさらに含むことによって、すなわち、シールドカバー２５０をハウジング２４０を基準として２点（ｔｗｏ  ｐｏｉｎｔｓ）（又は第１及び第２線（ＬＩＮＥ１、ＬＩＮＥ２）を考慮して３点（ｔｈｒｅｅ  ｐｏｉｎｔｓ））支持することによって、シールドカバー２５０の垂直方向への流動及びこれに起因した表示装置１００の不良などを防止することができる。
【００６２】
図９は、図８のシールドカバーの一例を示す斜視図であり、図１０は、図９のシールドカバーの側方（ＤＲ１）断面を示す断面図である。
図９は、図８に示す第１領域（Ａ１）の一側（例えば、右側）を拡大した図である。
図９及び図１０を参照すると、シールドカバー２５０は、第１支持部２５１及び第２支持部２５２の内の少なくとも一つを含み得る。
【００６３】
第１支持部２５１は、シールドカバー２５０の傾斜部Ｒ２の端部で表示パネル２１０に向かって突出形成される。
例えば、第１支持部２５１は、傾斜部Ｒ２の側部が上部方向に（すなわち、表示パネル２１０に向かう垂直方向に）折り曲げられて形成される。
第１支持部２５１の高さＴ１（図１０のＴ１）は、シールドカバー２５０（又はシールドカバー２５０の傾斜部Ｒ２）とハウジング２４０までの距離と同じであり、第１支持部２５１の端部は、ハウジング２４０（又はハウジング２４０の縁部分Ａ２）に接し得る。
この場合、ハウジング２４０の下面を基準として第１支持部２５１によりシールドカバー２５０が支持される。
すなわち、シールドカバー２５０は、前述した第１及び第２線（ＬＩＮＥ１、ＬＩＮＥ２）及び第３線ＬＩＮＥ３（すなわち、第１支持部２５１の中心を通過する線）を含んで３点（又は３列）支持される。
【００６４】
第１支持部２５１の幅Ｗ１は、図３を参照して説明した結合部材（ＳＣＲＥＷ）の直径より大きく、又は、ハウジング２４０の結合部（ＥＭＢＯ）とシールドカバー２５０の結合部が接する接触面の直径と同一又は大きくてもよい。
ただし、第１支持部２５１は、これに制限されるものではない。
第１支持部２５１は、シールドカバー２５０の側部Ｒ３から離隔して配置され、その離隔距離は、第１隔離距離Ｌ１より小さくてもよい。
ここで、第１隔離距離Ｌ１は、シールドカバー２５０の側部Ｒ３の上端に形成された係止固定部（２５０＿Ｆ）の幅（又は水平方向への長さ）であり得る。
この場合、ハウジング２４０（及びフレーム２２０）は、シールドカバー２５０の係止固定部（２５０＿Ｆ）と第１支持部２５１との間に配置され、シールドカバー２５０の流動（移動）性がより減少し得る。
【００６５】
第１支持部２５１と同様に、第２支持部２５２は、シールドカバー２５０の底部Ｒ１の端部で表示パネル２１０に向かって突出形成される。
例えば、第２支持部２５２は、底部Ｒ１の側部が上部方向に（すなわち、表示パネル２１０に向かう垂直方向に）折り曲げられて形成される。
第２支持部２５２の高さＴ２（図１０のＴ２）は、シールドカバー２５０（又はシールドカバー２５０の底部Ｒ１）とハウジング２４０までの距離と同じであり、第２支持部２５２の端部は、ハウジング２４０（又はハウジング２４０の中央部分Ａ３）に接し得る。
この場合、ハウジング２４０の下面を基準としてシールドカバー２５０が第２支持部２５２により支持され得る。
【００６６】
第２支持部２５２の高さＴ２（図１０のＴ２）は、第１支持部２５１の高さより大きくてもよい。
図２、図３及び図６を参照して説明したとおり、ハウジング２４０の下面で縁部分（Ａ２）は、中央部分（Ａ３）に比べて下部方向に突出形成されることによって、縁部分（Ａ２）とシールドカバー２５０との間隔は、中央部分（Ａ３）からシールドカバー２５０の間の間隔より小さくてもよい。
第２支持部２５２の幅Ｗ２は、図３を参照して説明したハウジング２４０の結合部（ＥＭＢＯ）とシールドカバー２５０の結合部とが接する接触面の直径と同一又は大きくてもよい。
ただし、第２支持部２５２はこれに制限されるものではない。
この場合、第２支持部２５２によりシールドカバー２５０の歪みを防止することができる。
【００６７】
第２支持部２５２は、シールドカバー２５０の側部Ｒ３から第２隔離距離Ｌ２だけ離隔して配置され得る。
第２隔離距離Ｌ２は、シールドカバー２５０の側部Ｒ３からハウジング２４０の結合部（ＥＭＢＯ）が離隔した距離より小さくてもよい。
すなわち、第２支持部２５２は、シールドカバー２５０の側部Ｒ３に対してハウジング２４０の結合部（ＥＭＢＯ）より相対的に外側に配置され得る。
第２支持部２５２は、断面図上でハウジング２４０の結合部（ＥＭＢＯ）と重ならなくてもよい。
ただし、第２支持部２５２はこれに制限されるものではなく、例えば、第２支持部２５２は断面図上でハウジング２４０の結合部（ＥＭＢＯ）と一部重なるか、他の例としては、図１０に示すように、第２支持部２５２は、断面図上でハウジング２４０の結合部（ＥＭＢＯ）と完全に重なり得る。
【００６８】
一方、図に示していないが、シールドカバー２５０は、図８に示す第１領域（Ａ１）の他側（例えば、左側）に形成された第３及び第４支持部をさらに含み得る。
第３及び第４支持部は、第１及び第２支持部（２５１、２５２）とそれぞれ実質的に同一である。
ただし、第３及び第４支持部は、断面図上第１及び第２支持部（２５１、２５２）に対応して配置されるか、第１及び第２支持部と交差して配置され得る。
例えば、第３支持部は、断面図上で第１支持部と少なくとも一部が重ならなくてもよい。
上述したとおり、シールドカバー２５０は、第１及び第２支持部（２５１、２５２）の内の少なくとも一つを含むことによって、シールドカバー２５０は、ハウジング２４０を基準として２点（又は３点）で支持され、そのためシールドカバー２５０の垂直方向への流動（移動）を防止することができる。
【００６９】
図１１は図８のシールドカバーの他の一例を示す斜視図であり、図１２は図１１のシールドカバーの側方断面を示す断面図である。
図１１及び図１２を参照すると、シールドカバー（２５０＿１）は、第３支持部２５３を含む点で、図９のシールドカバー２５０と相違する。
第３支持部２５３は、第１及び第２支持部（２５１，２５２）と同様に、シールドカバー２５０の側部で表示パネル２１０に向かって突出形成される。
【００７０】
第３支持部２５３は、図９を参照して説明した第１支持部２５１が第２支持部２５２まで延びて第２支持部２５２と一体をなす形状を有する。
すなわち、第３支持部２５３は、第１区間ＳＲ１で第１厚さＴ１（図１２のＴ１）を有し、第２区間ＳＲ２で第２厚さＴ２（図１２のＴ２）を有する。
ここで、第１区間ＳＲ１の開始点は、第１支持部２５１がシールドカバー２５０の側部Ｒ３から離隔した距離の地点と同じであり、第２区間ＳＲ２の開始点は、第２支持部２５２がシールドカバー２５０の側部Ｒ３から離隔した距離の地点と同一であり得る。
【００７１】
図１３は、本発明の他の実施形態による表示装置を示す断面図であり、図１４は図１３の表示装置に含まれるシールドカバーを示す図であり、図１５は図１４のシールドカバーの一例を示す部分斜視図であり、図１６は図１５のシールドカバーの側方断面を示す断面図である。
図１３〜図１６を参照すると、表示装置（１００＿１）は、シールドカバー１３５０及びバッファー部材（ＢＵＦ）を含む点で、図３の表示装置１００と相違する。
【００７２】
図１４に示すように、シールドカバー１３５０は、ユーザーホール（ＵＨ）を含む点で、図８に示すシールドカバー２５０と相違する。
ユーザーホール（ＵＨ）は、シールドカバー１３５０の下面（１３５０＿Ｂ）に（又はシールドカバー１３５０の底部Ｒ１及び傾斜部Ｒ２、又はシールドカバー１３５０の傾斜部Ｒ２）シールドカバー１３５０を厚さ方向に貫いて形成される。
いくつかの実施形態で、ユーザーホール（ＵＨ）の一部は、シールドカバー１３５０の側部Ｒ３に形成される。
ユーザーホール（ＵＨ）は、図２を参照して説明した接続フィルム２１１に形成された穴（又はサブ接続フィルム間の離隔空間）に対応して形成され得る。
例えば、シールドカバー１３５０は、４個のユーザーホール（ＵＨ１〜ＵＨ４）を含み得る。
説明の便宜上、４個のユーザーホール（ＵＨ１〜ＵＨ４）の共通の特徴については、これらをユーザーホール（ＵＨ）と称して説明する。
【００７３】
バッファー部材（ＢＵＦ）は、ユーザーホール（ＵＨ）を介して下部方向に露出したハウジング２４０の底部の一部分（２４０＿Ｄ）に形成される。
バッファー部材（ＢＵＦ）は、ボルト（ＢＯＬＴ）に対応するナットで構成され、ハウジング２４０の底部の一部分（２４０＿Ｄ）に結合されて形成される。
ケース３１０を貫くボルト（ＢＯＬＴ）がバッファー部材（ＢＵＦ）に結合される場合、ハウジング２４０の一側がケース３１０に固定され、図６を参照して説明したハウジング２４０に比べて、ケース３１０がより安定的に支持され得る。
例えば、４個のユーザーホール（ＵＨ１〜ＵＨ４）により露出したハウジング２４０の下面一部の領域の中で少なくとも一つの領域に形成され得る。
他の例として、バッファー部材（ＢＵＦ）は、ユーザーホール（ＵＨ）を介して露出したハウジング２４０の一つの領域に複数備えられる。
【００７４】
シールドカバー１３５０は、ユーザーホール（ＵＨ）の縁で突出形成された第４支持部１３５４を含む。
第４支持部１３５４は、シールドカバー１３５０の固定部（１３５０＿Ｆ）の一部分の下に位置し得る。
固定部（１３５０＿Ｆ）は、前述したシールドカバー２５０の係止固定部（２５０＿Ｆ）と実質的に同一又は同様に構成される。
第４支持部１３５４は、シールドカバー１３５０のユーザーホール（ＵＨ）で、傾斜部Ｒ２（又は側部Ｒ３）の一端から表示パネル２１０に向かって水平方向に突出形成され得る。
例えば、第４支持部１３５４は、ユーザーホール（ＵＨ）での側部Ｒ３の一端が水平方向に（すなわち、表示パネル２１０の下面に平行する方向に）折り曲げられて形成される。
【００７５】
第４支持部１３５４が形成された高さＨ１は、ハウジング２４０の下面の高さと同一であり（すなわち、第４支持部１３５４の上面はハウジング２４０の下面と同一の平面に位置して）、第４支持部１３５４の上面は、ハウジング２４０（又はハウジング２４０の縁部分Ａ２）に接し得る。
この場合、ハウジング２４０の下面を基準として第４支持部１３５４によりシールドカバー２５０が支持される。
したがって、シールドカバー２５０は、図９を参照して説明したとおり、３点（又は３列）支持される。
第４支持部１３５４の幅Ｗ４は、図３を参照して説明した結合部材（ＳＣＲＥＷ）の直径より大きく、又はハウジング２４０の結合部（ＥＭＢＯ）とシールドカバー２５０の結合部とが接する接触面の直径と同一又は大きくてもよい。
ただし、第４支持部１３５４はこれに制限されるものではない。
第４支持部１３５４の長さＬ４は、第４支持部１３５４の幅Ｗ４と同様に、結合部材（ＳＣＲＥＷ）の直径より大きく、又はウジング２４０の結合部（ＥＭＢＯ）とシールドカバー２５０の結合部が接する接触面の直径と同一又は大きくてもよい。
【００７６】
上述したとおり、シールドカバー１３５０は、ユーザーホール（ＵＨ）に形成された第４支持部１３５４を含むことによって、シールドカバー１３５０は、ハウジング２４０を基準として２点（又は３点）で支持され、したがって、シールドカバー１３５０の垂直方向への流動（移動）を防止することができる。
また、ユーザーホール（ＵＨ）を介して露出したハウジング２４０の下面の内の一部分（２４０＿Ｄ）に形成されたバッファー部材（ＢＵＦ）を介してケース３１０がハウジング２４０に結合されることによって、ケース３１０がより安定的に支持され得る。
【００７７】
図１７は、図１４のシールドカバーの他の一例を示す斜視図である。
図１７を参照すると、シールドカバー１７５０は、第５支持部１３５５をさらに含む点で、図１５のシールドカバー１３５０と相違する。
第５支持部１３５５を除いては、シールドカバー１７５０は図１５のシールドカバー１３５０と実質的に同一である。
したがって、重複する説明は省略する。
第５支持部１３５５は、形成された位置を除いては、第１支持部２５１と実質的に同一である。
したがって、重複する説明は省略する。
【００７８】
第５支持部１３５５は、シールドカバー１７５０のユーザーホール（ＵＨ）で、傾斜部Ｒ２（又は側部Ｒ３）の一端から表示パネル２１０に向かって突出形成される。
例えば、第５支持部１３５５は、ユーザーホール（ＵＨ）での傾斜部Ｒ２の側部が上部方向に（すなわち、表示パネル２１０に向かう垂直方向に）折り曲げられて形成される。
第５支持部１３５５を含むシールドカバー１７５０の断面は、図１０に示すシールドカバー２５０の断面と実質的に同一である。
上述したとおり、シールドカバー１７５０は、ユーザーホール（ＵＨ）に形成された第５支持部１３５５を含むことによって、シールドカバー１７５０の垂直方向への流動（移動）を防止し得る。
【００７９】
一方、シールドカバー１７５０が第５支持部１３５５を含む場合を説明したが、シールドカバー１７５０はこれに制限されるものではない。
例えば、シールドカバー１７５０は、図９〜図１２及び図１５を参照して説明した第１支持部２５１、第２支持部２５２、第３支持部２５３、及び第４支持部１３５４の内の少なくとも一つをさらに含み得る。
【００８０】
図１８は、本発明の他の実施形態による表示装置を示す斜視図であり、図１９は図１８のＩＩＩ−ＩＩＩ’線に沿って切断した断面図であり、図２０は図１８のＩＶ−ＩＶ’線に沿って切断した断面図である。
図１８〜図２０を参照すると、表示装置（１００＿２）は、４個の辺で類似のベゼルを有する点で、図１の表示装置１００と相違する。
【００８１】
図１８に示すように、表示装置（１００＿２）は、第１及び第２長辺（（ＬＳ１＿１）、ＬＳ２）及び第１及び第２短辺（ＳＳ１、ＳＳ２）で相互に類似した厚さのベゼルを含む。
第１及び第２長辺（（ＬＳ１＿１）、ＬＳ２）並びに第１及び第２短辺（ＳＳ１、ＳＳ２）でのベゼルの厚さ（又は幅は）は、相互に同一であり得、ベゼルは後述する第１ケース２０１０の側壁の厚さと同一であり得る。
表示装置（１００＿２）は、表示パネル１９１０、フレーム１９２０、バックライトユニット１９３０、ハウジング１９４０及びシールドカバー１９５０を含み得る。
また、表示装置（１００＿２）は、第１ケース２０１０及び第２ケース２０２０をさらに含み得る。
【００８２】
表示パネル１９１０、フレーム１９２０、バックライトユニット１９３０、ハウジング１９４０、及びシールドカバー１９５０は、表示装置（１００＿２）の第１長辺（ＬＳ１＿１）側での形状を除いては、図１〜図８を参照して説明した表示パネル２１０、フレーム２２０、バックライトユニット２３０、ハウジング２４０、及びシールドカバー２５０と実質的に同一又は類似である。
したがって、重複する説明は省略する。
すなわち、図１８のＩＩ−ＩＩ’線に沿って切断した表示装置（１００＿２）の断面は、図４に示す断面と実質的に同一であり、また、第１及び第２短辺（ＳＳ１、ＳＳ２）側での断面も図４に示す断面と実質的に同一である。
【００８３】
図１９に示すように、バックライトユニット１９３０は、光学シート１９３４を含む点で、図１〜図３を参照して説明したバックライトユニット２３０と相違する。
光学シート１９３４は、導光板２３２の上面に配置され、光学シート１９３４は、平面上導光板２３２の上面の大きさ（又は面積）と類似の大きさを有し、導光板２３２の上面全体と完全に重なって導光板２３２の上面を完全にカバーする。
この場合、表示装置（１００＿２）の第１長辺（ＬＳ１＿１）側で、光学シート１９３４の外側面は、導光板２３２の外側面と同一平面に位置し得る（すなわち、外側面が相互一致する）。
【００８４】
フレーム１９２０は、バックライトユニット１９３０及びハウジング１９４０の上部に配置され、ハウジング１９４０の上面の一部と側面の少なくとも一部をカバーする。
ただし、フレーム１９２０は、バックライトユニット１９３０の光源２３１を完全にカバーするが、開口を介してバックライトユニット１９３０の光学シート１９３４の大部分を上部方向に露出させ得る。
開口は、図２に示すフレーム（図２の２２０）の穴（図２のＯＰ）と実質的に同一又は類似である。
この場合、フレーム１９２０は、導光板２３２と直接接しなくてもよい。
【００８５】
表示パネル１９１０は、フレーム１９２０の外郭の大きさと実質的に同一又は類似の大きさを有し、フレーム１９２０の上部に配置され、フレーム１９２０及びバックライトユニット１９３０の露出した上面（すなわち、フレーム１９２０の開口によって露出した部分）を完全にカバーするように配置される。
表示パネル１９１０とフレーム１９２０との間には第１支持部材ＴＡ１が配置される。
第１支持部材ＴＡ１は、図３を参照して説明した第１支持部材ＴＡ１と同様に、表示パネル１９１０の縁に沿って配置され、フレーム１９２０の開口によって露出したバックライトユニット１９３０の上面とは重ならなくてもよい。
表示パネル１９１０は、一辺（例えば、第１長辺（ＬＳ１＿１））で接続フィルム１９１１を介して回路基板２１２と接続される。
ここで、接続フィルム１９１１は、表示パネル１９１０との結合関係を除いては、図２及び図３を参照して説明した接続フィルム２１１と実質的に同一である。
【００８６】
図１９に示すように、表示パネル１９１０は背面発光構造を有する。
この場合、表示パネル１９１０の下面にパッド部（すなわち、内部の配線を外部装置と接続するためのパッドが配置されるパッド部）が位置し、接続フィルム１９１１の一端は、表示パネル１９１０の一側下面（例えば、パッド部）に付着し、接続フィルム１９１１の他端は回路基板２１２に付着する。
【００８７】
一方、表示パネル１９１０の側面には表示パネル１９１０の側面に沿って第４支持部材ＴＡ４（又は接着部材、粘着部材）が配置される。
第４支持部材ＴＡ４は、表示パネル１９１０の側面とハウジング１９４０の側壁（又は後述する第１ケース２０１０）との間に配置され、これらの間を密封する。
そのため、表示パネル１９１０の上面全体は、表示装置（１００＿２）の上部に露出し、表示装置（１００＿２）の上面（又は全面）を構成する。
また、表示装置（１００＿２）の上面で視認されるベゼルの幅は、第１ケース２０１０の側壁の厚さと第４支持部材ＴＡ４の幅の合計と同一又は類似であり得る。
【００８８】
シールドカバー１９５０は、図１３〜図１７を参照して説明したシールドカバー１３５０と実質的に同一である。
すなわち、シールドカバー１９５０は、ユーザーホール（ＵＨ）を含む。
ユーザーホール（ＵＨ）により露出したハウジング１９４０の底部の一部（２４０＿Ｄ）にはバッファー部材（ＢＵＦ）が配置され、図２０に示すように、第１ケース２０１０を貫くボルト（ＢＯＬＴ）がユーザーホール（ＵＨ）を通過してバッファー部材（ＢＵＦ）に挿入及び結合される。
シールドカバー１９５０は、第４支持部１９５４を含み、第４支持部１９５４は、図１５及び図１６を参照して説明した第４支持部１３５４と実質的に同一である。
【００８９】
また、シールドカバー１９５０は、図１７を参照して説明した第５支持部１３５５をさらに含み得る。
すなわち、シールドカバー１９５０は、ユーザーホール（ＵＨ）の縁で表示パネル１９１０に向かって突出形成されてハウジング１９４０の下面を支持する支持部を含む。
さらに、シールドカバー１９５０は、図９〜図１２を参照して説明した第１〜第３支持部（２５１、２５２、２５３）の内の少なくとも一つを含むか、さらに含み得る。
すなわち、シールドカバー１９５０は、その最外郭の側面で表示パネル１９１０に向かって突出形成されてハウジング１９４０の下面を支持する支持部を含む。
【００９０】
図２０に示すように、第１ケース２０１０は、底部及び底部の縁で上部方向に延長形成された側壁を含む。
ハウジング１９４０（及びその内に構成される要素）は、第１ケース２０１０の底部及び側壁によって定義される空間に収納される。
表示装置（１００＿２）の第１長辺（ＬＳ１＿１）側で、ボルト（ＢＯＬＴ）は、第１ケース２０１０、シールドカバー１９５０（又はシールドカバー１９５０のユーザーホール（ＵＨ））を貫いてハウジング１９４０の下面に形成されたバッファー部材（ＢＵＦ）と結合することによって、表示装置（１００＿２）の第１長辺（ＬＳ１＿１）側で第１ケース２０１０がハウジング１９４０により堅固に結合される。
一方、表示装置（１００＿２）の第２長辺ＬＳ２側で、ボルト（ＢＯＬＴ）は、第１ケース２０１０を貫いてハウジング１９４０に結合される。
【００９１】
第２ケース２０２０は、四角形の板形状を有し、第１ケース２０１０の平面上大きさと同じ大きさを有し、第１ケース２０１０の下面に配置される。
第２ケース２０２０は、別途の結合部材（例えば、ボルト（ＢＯＬＴ））を用いず、締め嵌め、係止結合などの方式で第１ケース２０１０に結合され得る。
【００９２】
上述したとおり、背面発光構造の表示パネル１９１０が表示装置（１００＿２）の前面に配置され、フレーム１９２０により表示パネル１９１０が支持されることによって、表示装置（１００＿２）の４個の辺でのベゼルが最小化できる。
また、ユーザーホール（ＵＨ）を介してバッファー部材（ＢＵＦ）に結合するボルト（ＢＯＬＴ）を介して、表示装置（１００＿２）の第１長辺（ＬＳ１＿１）で（すなわち、シールドカバー１９５０と重なる部分で）、第１ケース２０１０は、ハウジング１９４０により堅固に結合される。
さらに、シールドカバー１９５０は、ユーザーホール（ＵＨ）に形成された支持部及び最外郭の側面に形成された支持部の内の少なくとも一つを含むことによって、シールドカバー１９５０の垂直方向への流動（移動）を防止することができる。
【００９３】
尚、本発明は、上述の実施形態に限られるものではない。本発明の技術的範囲から逸脱しない範囲内で多様に変更実施することが可能である。
【符号の説明】
【００９４】
１００、１００＿１、１００＿２    表示装置
２１０、１９１０    表示パネル
２１１、１９１１    接続フィルム
２１２    回路基板
２２０、１９２０    フレーム
２３０、１９３０    バックライトユニット
２３１    光源
２３２    導光板
２３３    反射シート
２３４、１９３４    光学シート
２４０、１９４０    ハウジング
２４０＿Ｄ    ハウジングの底部の一部分
２５０、２５０＿１、１３５０、１７５０、１９５０    シールドカバー
２５１    第１支持部
２５２    第２支持部
２５３    第３支持部
３１０    ケース
１３５４、１９５４    第４支持部
１３５５    第５支持部
ＢＯＬＴ    ボルト
ＢＵＦ    バッファー部材
ＥＭＢＯ    結合部
ＥＭＢＯ１〜ＥＭＢＯ３    第１〜第３結合部
ＥＭＢＯ１１〜ＥＭＢＯ２５    第１１〜第２５結合部
ＨＯＬＥ１    第１穴
ＨＯＬＥ２    第２穴
ＨＯＬＥ３    第３穴
ＯＰ    穴
ＰＲＯ    凸部
ＳＣＲＥＷ    結合部材
ＵＨ    ユーザーホール
【図１】
2019200420.tif 000003
【図２】
2019200420.tif 000004
【図３】
2019200420.tif 000005
【図４】
2019200420.tif 000006
【図５】
2019200420.tif 000007
【図６】
2019200420.tif 000008
【図７】
2019200420.tif 000009
【図８】
2019200420.tif 000010
【図９】
2019200420.tif 000011
【図１０】
2019200420.tif 000012
【図１１】
2019200420.tif 000013
【図１２】
2019200420.tif 000014
【図１３】
2019200420.tif 000015
【図１４】
2019200420.tif 000016
【図１５】
2019200420.tif 000017
【図１６】
2019200420.tif 000018
【図１７】
2019200420.tif 000019
【図１８】
2019200420.tif 000020
【図１９】
2019200420.tif 000021
【図２０】
2019200420.tif 000022